(57)【要約】【課題】複数種のフレキシブル配線基板を必要とすることなく回路モジュールの搭載の有無に応じた電子機器の組み立てを可能とする。【解決手段】無線ＬＡＮモジュール１１１に接続可能なコネクタ端子部１１２ａを備える中継フレキシブル配線基板１１２は、コネクタ端子部１１２ａの近傍に穴部１１２ｄが形成され、穴部１１２ｄを迂回してコネクタ端子部１１２ａへの信号線２０１が配線され、穴部１１２ｄの周囲に信号線２０１を露出させたカバーレイ開口部１１２ｆが設けられている。無線ＬＡＮモジュール１１１が搭載されないデジタルカメラ１００の非搭載モデルでは、カバーレイ開口部１１２ｆで露出した信号線２０１にワッシャ１１７を接触させた状態で穴部１１２ｄをサブシャーシ１０７に対してビス止めすることにより、信号線２０１をワッシャ１１７とビスとを介してサブシャーシ１０７と導通させる。【選択図】図４
2016164920.tif 000002
【特許請求の範囲】
【請求項１】
回路モジュールを搭載可能な電子機器であって、
電子部品が実装された配線基板と、
前記回路モジュールと前記配線基板とを電気的に接続するフレキシブル配線基板と、
前記回路モジュールまたは前記フレキシブル配線基板を固定するシャーシとを備え、
前記フレキシブル配線基板は、
前記回路モジュールのコネクタと接続可能なコネクタ端子部と、
前記コネクタ端子部の近傍に形成された穴部と、
前記穴部を迂回して前記コネクタ端子部へ配線された信号配線と、
前記穴部の周囲において前記信号配線のうちの所定の配線を露出させた配線露出部とを有し、
前記回路モジュールが搭載されている場合には、前記フレキシブル配線基板は前記コネクタ端子部が前記回路モジュールのコネクタに接続されることによって前記電子機器に組み付けられ、
前記回路モジュールが搭載されていない場合には、前記フレキシブル配線基板は前記穴部において金属部品により前記シャーシに固定され、前記配線露出部において露出した前記所定の配線が前記金属部品を介して前記シャーシと導通することによりグラウンドに接続されることを特徴とする電子機器。
【請求項２】
前記金属部品はワッシャとビスであり、
前記シャーシにビス穴が設けられており、
前記回路モジュールが搭載されていない場合、前記配線露出部において露出した前記所定の配線は、前記ワッシャおよび前記フレキシブル配線基板が前記ビス穴にて前記ビスによりビス止めされることにより、前記ワッシャおよび前記ビスを介して前記シャーシと導通することを特徴とする請求項１に記載の電子機器。
【請求項３】
前記配線露出部において露出した前記所定の配線は、前記ビスにより前記ワッシャおよび前記フレキシブル配線基板を前記シャーシにビス止めする際の前記ビスの回転方向と略直交する部分での配線幅が、前記回転方向と略平行に配線される部分での配線幅よりも太いことを特徴とする請求項２に記載の電子機器。
【請求項４】
前記回路モジュールが搭載されている場合、前記回路モジュールと前記シャーシとが、前記シャーシに設けられた前記ビス穴がビスでビス止めされることによって共締めされていることを特徴とする請求項２又は３に記載の電子機器。
【請求項５】
前記信号配線は、前記電子部品が前記回路モジュールの動作を制御するための信号を送受信する信号線と、前記電子部品のグラウンドに接続されるグラウンド線と、前記回路モジュールに電源を供給する電源線を有し、
前記配線露出部において露出した前記所定の配線は、前記信号線と前記グラウンド線であり、前記電源線は前記配線露出部において露出していないことを特徴とする請求項１乃至４のいずれか１項に記載の電子機器。
【請求項６】
前記回路モジュールは、無線ＬＡＮモジュールとＧＰＳモジュールの少なくとも１つであることを特徴とする請求項１乃至５のいずれか１項に記載の電子機器。
【請求項７】
前記回路モジュールが搭載されている場合に、前記穴部は、前記コネクタ端子部を前記回路モジュールに設けられたコネクタに挿入する際の治具の装着に用いられることを特徴とする請求項１乃至６のいずれか１項に記載の電子機器。
【請求項８】
コネクタ端子部を備えるフレキシブル配線基板であって、
前記コネクタ端子部の近傍に形成された穴部と、
前記穴部を迂回して前記コネクタ端子部へ配線された信号配線とを有し、
前記穴部の周囲に前記信号配線のうちの所定の配線が露出した配線露出部が設けられていることを特徴とするフレキシブル配線基板。
【発明の詳細な説明】
【技術分野】
【０００１】
本発明は、電子機器及びフレキシブル配線基板に関し、特に電子機器の内部に組み付けられるフレキシブル配線基板の終端構造に関する。
【背景技術】
【０００２】
デジタルカメラやビデオカメラ、携帯電話等の電子機器には、無線ＬＡＮモジュールやＧＰＳ（Global Position System）モジュール等の回路モジュールを搭載したものがある。このような電子機器では、無線ＬＡＮモジュールを使用して、撮影した画像データをクラウドコンピュータ等へ転送することや他の機器を操作することができ、また、ＧＰＳモジュールでの測位結果を撮影場所として画像データに付加して記録することができる。一方で、電子機器の中には、無線機能やＧＰＳ機能を必要としないユーザを考慮して、無線機能やＧＰＳ機能の搭載モデルと非搭載モデルの両方が市場に投入されているものがある。
【０００３】
図８は、従来のデジタルカメラを例として、その内部構成の一例を示す斜視図である。図８（ａ）は無線ＬＡＮモジュールを搭載した搭載モデルの内部構成を示しており、図８（ｂ）は無線ＬＡＮモジュールを搭載していない非搭載モデルの内部構成を示している。
【０００４】
図８（ａ）に示すように、搭載モデルでは、カメラ本体の略中央上部に無線ＬＡＮモジュール４０１が配置されている。無線ＬＡＮモジュール４０１は、アンテナ４０１ａと、通信制御ＩＣ４０１ｂと、コネクタ４０１ｃと、これらが実装されたプリント基板４０１ｄとを有する。また、カメラ本体には、デジタルカメラの制御を行うエンジンが実装されたメイン配線基板４０２と、無線ＬＡＮモジュール４０１とメイン配線基板４０２とを通信可能に接続するフレキシブル配線基板４０３が配置されている。フレキシブル配線基板４０３は、無線ＬＡＮモジュール４０１のコネクタ４０１ｃに挿入されるコネクタ端子部４０３ａと、メイン配線基板４０２に実装されたコネクタ４０２ａに挿入されるコネクタ端子部４０３ｂとを有する。
【０００５】
一方、図８（ｂ）に示すように、非搭載モデルには無線ＬＡＮモジュール４０１が配置されていないため、無線ＬＡＮモジュール４０１とメイン配線基板４０２との間の信号の送受信が不要となる。ここで、仮に、フレキシブル配線基板４０３をそのまま非搭載モデルに採用した場合、コネクタ端子部４０３ａ及びその周辺の無線制御のための配線が残ってしまい、コネクタ端子部４０３ａが他の金属部品と接触してショートするおそれがある。また、無線制御のための配線がエンジンと接続されているため、その配線はグラウンドと同じ電位になるように制御されるが、内部のトランジスタ等の特性上、完全な０Ｖにならずに、電位がふらついてしまう。更に、周囲から配線へノイズが飛び込むことによって、輻射ノイズが発生してしまうおそれがある。
【０００６】
そこで、ビス止めにより簡易的に不要な配線をグラウンドに接続することで、これらの問題を解決する手法が知られている（特許文献１，２参照）。これに対して、図８（ｂ）に示すように、非搭載モデルには、コネクタ端子部４０３ａと輻射ノイズの原因となるアンテナパターン等の不要な配線が削除されたフレキシブル配線基板４０３Ａを配置する手法もある。
【先行技術文献】
【特許文献】
【０００７】
【特許文献１】特開２００８−２７５５１号公報
【特許文献２】特開平７−２３６０７９号公報
【発明の概要】
【発明が解決しようとする課題】
【０００８】
しかし、搭載モデルと非搭載モデルのそれぞれについてフレキシブル配線基板４０３，４０３Ａを製作する場合には、２つの基板の型が必要となるため、コストアップが生じてしまう。また、搭載モデル用のフレキシブル配線基板４０３と非搭載モデル用のフレキシブル配線基板４０３Ａとでは、グラウンド線等の配線が変わるため、輻射ノイズに対してそれぞれに対策と検討を行う必要がある。更に、形状の似たフレキシブル配線基板４０３，４０３Ａが存在すると、組み立ての際に誤組みする危険性がある。一方、上記特許文献１，２に記載された方法では、多くの信号線に対応することが容易ではなく、電子機器の小型化を阻害するおそれがある。
【０００９】
本発明は、複数種のフレキシブル配線基板を必要とすることなく回路モジュールの搭載の有無に応じた組み立てが可能であり、回路モジュールを搭載しない非搭載モデルでの輻射ノイズの発生を抑制することができる電子機器を提供することを目的とする。
【課題を解決するための手段】
【００１０】
本発明に係る電子機器は、回路モジュールを搭載可能な電子機器であって、電子部品が実装された配線基板と、前記回路モジュールと前記配線基板とを電気的に接続するフレキシブル配線基板と、前記回路モジュールまたは前記フレキシブル配線基板を固定するシャーシとを備え、前記フレキシブル配線基板は、前記回路モジュールのコネクタと接続可能なコネクタ端子部と、前記コネクタ端子部の近傍に形成された穴部と、前記穴部を迂回して前記コネクタ端子部へ配線された信号配線と、前記穴部の周囲において前記信号配線のうちの所定の配線を露出させた配線露出部とを有し、前記回路モジュールが搭載されている場合には、前記フレキシブル配線基板は前記コネクタ端子部が前記回路モジュールのコネクタに接続されることによって前記電子機器に組み付けられ、前記回路モジュールが搭載されていない場合には、前記フレキシブル配線基板は前記穴部において金属部品により前記シャーシに固定され、前記配線露出部において露出した前記所定の配線が前記金属部品を介して前記シャーシと導通することによりグラウンドに接続されることを特徴とする。
【発明の効果】
【００１１】
本発明によれば、複数種のフレキシブル配線基板を必要とすることなく、回路モジュールの搭載の有無に応じた組み立てが可能となり、また、輻射ノイズの発生が抑制された電子機器を実現することができる。
【図面の簡単な説明】
【００１２】
【図１】本発明の第１実施形態に係るデジタルカメラの正面側の分解斜視図及び背面側の分解斜視図である。
【図２】図１のデジタルカメラであって、無線ＬＡＮモジュールを搭載した搭載モデルの部分的な構成を示す斜視図である。
【図３】図１のデジタルカメラであって、無線ＬＡＮモジュールを搭載していない非搭載モデルの部分的な構成を示す斜視図である。
【図４】図１のデジタルカメラに用いられる中継フレキシブル配線基板の腕部における配線パターンを示す平面図である。
【図５】図２の搭載モデルでの配線ブロック図と、図３の非搭載モデルでの配線ブロック図である。
【図６】本発明の第２実施形態に係るデジタルカメラであって、無線ＬＡＮモジュールを搭載した搭載モデルの部分的な構成を示す斜視図である。
【図７】本発明の第２実施形態に係るデジタルカメラであって、無線ＬＡＮモジュールを搭載していない非搭載モデルの部分的な構成を示す斜視図である。
【図８】従来のデジタルカメラの内部構成の一例を示す斜視図である。
【発明を実施するための形態】
【００１３】
以下、本発明の実施形態について、添付図面を参照して詳細に説明する。ここでは、本発明に係る電子機器の一例として、所謂、デジタルカメラを取り上げることとするが、本発明に係る電子機器はデジタルカメラに限定されるものではない。
【００１４】
＜第１実施形態＞
図１（ａ）は、本発明の第１実施形態に係るデジタルカメラ１００を正面側から見た分解斜視図であり、図１（ｂ）は、デジタルカメラ１００を背面側から見た分解斜視図であり、各図において外装部材の図示を省略している。
【００１５】
デジタルカメラ１００は、鏡筒１０１、ストロボユニット１０２、上部カバー１０３、レリーズボタン１０４、電源ボタン１０５、操作フレキシブル配線基板１０６、サブシャーシ１０７、メイン配線基板１０８、エンジン１０９及びメインシャーシ１１０を備える。また、デジタルカメラ１００は、無線ＬＡＮモジュール１１１、中継フレキシブル配線基板１１２、ＵＳＢコネクタ１１３、ＡＦ補助光発光部１１４、ＬＣＤパネル１１５及び電池ボックス１１６を備える。
【００１６】
鏡筒１０１は、ズームレンズやフォーカスレンズ等の複数のレンズを保持する。ストロボユニット１０２は、必要に応じてポップアップし、被写体に向けて閃光を照射する。上部カバー１０３は、レリーズボタン１０４や電源ボタン１０５を保持する。操作フレキシブル配線基板１０６には、レリーズボタン１０４や電源ボタン１０５によってオン／オフが切り替わるレリーズスイッチや電源スイッチが実装されている。操作フレキシブル配線基板１０６は、サブシャーシ１０７に貼り付けられている。メイン配線基板１０８には、デジタルカメラ１００の動作制御や撮影画像の画像データを現像する画像処理等を行う電子部品であるエンジン１０９が実装されている。メイン配線基板１０８は、メインシャーシ１１０にビス止めされている。
【００１７】
無線ＬＡＮモジュール１１１は、メインシャーシ１１０とサブシャーシ１０７にビス止めされて固定されている。中継フレキシブル配線基板１１２には、ＵＳＢコネクタ１１３やＡＦ補助光発光部１１４が実装されている。無線ＬＡＮモジュール１１１は、中継フレキシブル配線基板１１２を経由してエンジン１０９と接続されている。メインシャーシ１１０は、鏡筒１０１、ストロボユニット１０２、ＬＣＤパネル１１５及び電池ボックス１１６を保持する。
【００１８】
デジタルカメラ１００は、無線ＬＡＮモジュール１１１を搭載可能な構成となっていると共に、無線ＬＡＮモジュール１１１を搭載しないことも可能な構成となっている。すなわち、無線ＬＡＮモジュール１１１を搭載したものが、図２等を参照して以下に説明する搭載モデルとなり、無線ＬＡＮモジュール１１１を搭載していないものが図３等を参照して以下に説明する非搭載モデルとなる。なお、図１に示すビス穴１０７ａ，１０７ｂ，１１０ａ，１１０ｂ、接触部１０７ｃ及びビス止め部１０７ｄについては、以下に図２を参照して行う説明と併せて説明する。
【００１９】
図２は、無線ＬＡＮモジュール１１１を搭載した搭載モデルの部分的な構成を示す斜視図である。また、図３は、無線ＬＡＮモジュール１１１を搭載していない非搭載モデルの部分的な構成を示す斜視図である。図２及び図３を参照し、また、適宜、図１を参照して、１種類の中継フレキシブル配線基板１１２を用いた搭載モデルと非搭載モデルの各構成について説明する。
【００２０】
図２に示すように、無線ＬＡＮモジュール１１１は、通信制御ＩＣ１１１ａ、チップアンテナ１１１ｂ、コネクタ１１１ｃ及び無線ＬＡＮ基板１１１ｄを有する。無線ＬＡＮの通信制御を行う通信制御ＩＣ１１１ａは、無線ＬＡＮ基板１１１ｄに実装されている。コネクタ１１１ｃは、中継フレキシブル配線基板１１２を経由してエンジン１０９からの信号を受け取る。
【００２１】
搭載モデルでは、無線ＬＡＮモジュール１１１は、サブシャーシ１０７を介してメインシャーシ１１０に対してビス１１１ｅ，１１１ｆにより２カ所で共締めされている。なお、サブシャーシ１０７には、無線ＬＡＮモジュール１１１のビス止め位置に対応して、２か所にビス穴１０７ｂ，１０７ａ（図１参照）が設けられている。同様に、メインシャーシ１１０にも、ビス穴１１０ｂ，１１０ａ（図１参照）が設けられている。
【００２２】
サブシャーシ１０７には、無線ＬＡＮ基板１１１ｄと面接触する接触部１０７ｃが設けられており（図１参照）、接触部１０７ｃを介して無線ＬＡＮ通信時に発生する熱をサブシャーシ１０７に逃がすことができるようになっている。サブシャーシ１０７は、チップアンテナ１１１ｂの直下では切り欠かれており、アンテナ特性に影響を与えない構造となっている。
【００２３】
中継フレキシブル配線基板１１２は、無線ＬＡＮモジュール１１１のコネクタ１１１ｃに接続可能なコネクタ端子部１１２ａと、メイン配線基板１０８に実装されたコネクタ１０８ａに挿入接続されるコネクタ端子部１１２ｂを有する。搭載モデルでは、中継フレキシブル配線基板１１２は、コネクタ端子部１１２ａが無線ＬＡＮモジュール１１１のコネクタ１１１ｃに接続され、コネクタ端子部１１２ｂがメイン配線基板１０８に実装されたコネクタ１０８ａに接続されて、組み付けられる。なお、図２では、コネクタ端子部１１２ａ，１１２ｂはそれぞれコネクタ１１１ｃ，１０８ａ内にあって隠れているため、破線で位置を示している。
【００２４】
コネクタ端子部１１２ａは、中継フレキシブル配線基板１１２の腕部１１２ｃの先端に設けられている。腕部１１２ｃにおけるコネクタ端子部１１２ａの近傍には、穴部１１２ｄが形成されている。穴部１１２ｄを設けることによって、コネクタ１１１ｃにコネクタ端子部１１２ａを挿入する際に、穴部１１２ｄにピンセット等の治具を装着（挿入）してコネクタ１１１ｃ側に引き込んで組み付けることができるため、組み立て時の作業性を高めることができる。なお、ピンセット等の装着時に腕部１１２ｃで断線が発生しないように、穴部１１２ｄを補強板等により補強してもよい。
【００２５】
次に、非搭載モデルの構成について説明する。図１に示すように、サブシャーシ１０７には、ビス止め部１０７ｄが設けられている。ビス止め部１０７ｄは、中継フレキシブル配線基板１１２の穴部１１２ｄに対応した位置に設けられている。非搭載モデルでは、コネクタ端子部１１２ａを接続するコネクタが存在しない。そのため、図３に示すように、中継フレキシブル配線基板１１２は、腕部１１２ｃに設けられた穴部１１２ｄ及びビス止め部１０７ｄにおいてビス１１２ｋによりビス止めされて、組み付けられる。その際に、ビス１１２ｋのビス頭と腕部１１２ｃとの間にワッシャ１１７が介在される。
【００２６】
なお、図３では、穴部１１２ｄは、ビス１１２ｋ及びワッシャ１１７により隠れているため、穴部１１２ｄを大凡の位置を破線で示している。また、サブシャーシ１０７に設けられたビス穴１０７ｂ，１０７ａは、それぞれにビス１１１ｅ，１１１ｆが取り付けられることで塞がれているため、ビス穴１０７ｂの大凡の位置を破線で示しており、一方、ビス穴１０７ａの図示を省略している。
【００２７】
サブシャーシ１０７には、ビス止め部１０７ｄが設けられている面から立ち上げられた曲げ部１０７ｅが設けられている。中継フレキシブル配線基板１１２の腕部１１２ｃを曲げ部１０７ｅに接触させることで、ビス１１２ｋによるビス止め作業時に腕部１１２ｃが回転してしまうのを規制している。なお、腕部１１２ｃに補強板を貼り付けておくと、より大きな回転規制効果が得られる。
【００２８】
このように、搭載モデルでは、中継フレキシブル配線基板１１２のコネクタ端子部１１２ａはコネクタ１１１ｃに接続され、非搭載モデルでは、中継フレキシブル配線基板１１２の穴部１１２ｄをビス止めすることによりコネクタ端子部１１２ａを固定している。
【００２９】
図４は、中継フレキシブル配線基板１１２の腕部１１２ｃにおける配線パターンを示す平面図である。腕部１１２ｃには、無線ＬＡＮ通信の実行に必要な信号配線である信号線２０１、グラウンド線２０２及び電源線２０３が設けられている。信号線２０１は、エンジン１０９との間で制御信号の送受信を行うデータ線やクロック線等であり、流れる電流が少ないために配線を細くすることが可能な配線である。グラウンド線２０２は、電源のリターン配線であり、ノイズに強くするために太い配線とすることが望ましい。電源線２０３は、無線ＬＡＮモジュール１１１を駆動するための電源を供給する配線である。
【００３０】
コネクタ端子部１１２ａは、通常、中継フレキシブル配線基板１１２上を覆っているカバーレイが剥がされて、配線導体が露出した配線露出部となっている。そして、露出した導体の表面には金メッキが施されて、コネクタ１１１ｃに挿入されたときに良好な導通が得られるようになっている。なお、コネクタ端子部１１２ａの裏面には補強板１１２ｉが貼り付けられており、補強板１１２ｉは、コネクタ端子部１１２ａをコネクタ１１１ｃへ挿入する際の作業性の向上に寄与する。
【００３１】
穴部１１２ｄの周囲には、カバーレイ開口部１１２ｆが設けられている。カバーレイ開口部１１２ｆも、配線導体が露出した配線露出部であるが、電源線２０３のみは露出しないようにカバーレイ開口部１１２ｆの外側に配線されている。カバーレイ開口部１１２ｆには金メッキが施されているが、下地に用いられるニッケルメッキにソフトニッケルメッキを用いることにより、組み立て作業で曲げられたときに断線が生じ難い構造となっている。
【００３２】
信号線２０１とグラウンド線２０２は、穴部１１２ｄを迂回するように配線されている。信号線２０１は、カバーレイ開口部１１２ｆのエッジ部１１２ｇで、一旦、配線が太くなり、穴部１１２ｄを迂回する迂回部１１２ｈで細くなっている。そのため、穴部１１２ｄが設けられていても、腕部１１２ｃの幅を広くすることなく、配線することができる。
【００３３】
腕部１１２ｃを穴部１１２ｄにおいてビス１１２ｋによりビス止めした際に、ワッシャ１１７がワッシャ接触領域１１７ａにおいて信号線２０１及びグラウンド線２０２と接触する。これにより、露出した全ての信号線がワッシャ１１７を介して導通することになる。更にワッシャ１１７はサブシャーシ１０７にビス１１２ｋによりビス止めされる。よって、信号線２０１及びグラウンド線２０２は、金属部品であるワッシャ１１７及びビス１１２ｋを介してサブシャーシ１０７に接続されることによってグラウンドに接続されることになる。
【００３４】
ビス１１２ｋによるビス止めの際にワッシャ１１７が回転してしまうと、エッジ部１１２ｇではワッシャ１１７の端部と配線とが略直交するため、配線が断線しやすくなる。この断線を防止するために、エッジ部１１２ｇでは信号線２０１の配線を太くしている。一方、迂回部１１２ｈでは、ビス１１２ｋの回転方向と略平行に配線されているため、配線が細くても断線し難く、そのため、配線を細くして腕部１１２ｃが太くならないようにしている。グラウンド線２０２は、最初から太い配線となっているために本実施形態では配線幅を変更していないが、グラウンド線２０２が細い場合にはエッジ部１１２ｇにおいて配線幅を太くしてもよい。
【００３５】
図５（ａ）は、無線ＬＡＮモジュール１１１を搭載した搭載モデルでの配線ブロック図であり、無線ＬＡＮモジュール１１１を搭載していない非搭載モデルでの配線ブロック図である。
【００３６】
搭載モデルでは、図５（ａ）に示すように、信号線２０１のうちの１つの信号線を通してエンジン１０９から無線ＬＡＮモジュール１１１へ信号が送られる。信号ポート１０９ａはトランジスタからなるＳＷ１及びＳＷ２を有する。信号ポート１０９ａがＳＷ１を閉じる信号を出すと、電源と信号線２０１とが導通して所定の電圧が信号線２０１に印加される。このとき、信号線２０１はハイ（Ｈｉ）の状態となる。一方、信号ポート１０９ａがＳＷ２を閉じる信号を出すと、グラウンドと信号線２０１とが導通して接地電圧の０Ｖになり、信号パターンはロー（Ｌｏ）の状態となる。このように、信号ポート１０９ａがスイッチングを行うことにより、無線ＬＡＮモジュール１１１に命令（信号）が伝達される。
【００３７】
非搭載モデルにおいて、信号線２０１に電圧が印加された状態で中継フレキシブル配線基板１１２を穴部１１２ｄでビス止めすると、配線同士のショートによって不具合が発生する。この不具合の発生を回避するために、非搭載モデルでは、図５（ｂ）に示すように、信号ポート１０９ａから常に信号線２０１がグラウンドになるようにＳＷ２を閉じる制御を行う。これにより、配線をショートさせることなく、中継フレキシブル配線基板１１２を穴部１１２ｄでビス止めすることができる。また、信号線２０１の両端であるエンジン１０９と中継フレキシブル配線基板１１２の穴部１１２ｄ近傍とでグラウンドに接続することができるため、信号線２０１がアンテナとなってノイズを出すのを防ぐことができる。更に、信号線２０１をグラウンド線２０２と導通させることができるため、グラウンド接続を強化することができる。
【００３８】
このように、非搭載モデルでは、中継フレキシブル配線基板１１２に設けた穴部１１２ｄの周囲で信号線２０１とグラウンド線２０２とを露出させ、電気制御により信号線２０１がグラウンド電位の状態でビス止めされる。したがって、アンテナパターンとなりうる配線（信号線２０１）を容易にグラウンドに接続することができる。また、中継フレキシブル配線基板１１２の腕部１１２ｃがビス１１２ｋにより完全に固定されるため、コネクタ端子部１１２ａが他の板金と接触してショートすることもない。更に、搭載モデルと非搭載モデルとで異なる種類の中継フレキシブル配線基板を作成する必要がなくなり、部品を共通化させることでコストダウンを図ることができる。
【００３９】
＜第２実施形態＞
図６は、第２実施形態に係るデジタルカメラであって、無線ＬＡＮモジュール３０１を搭載した搭載モデルの部分的な構成を示す斜視図である。図７は、第２実施形態に係るデジタルカメラであって、無線ＬＡＮモジュール３０１を搭載していない非搭載モデルの部分的な構成を示す斜視図である。
【００４０】
ここでは、先に第１実施形態で説明した無線ＬＡＮモジュール１１１を搭載した搭載モデル及び無線ＬＡＮモジュール１１１を搭載していない非搭載モデルとの相違点についてのみ説明を行うものとする。第２実施形態に係るデジタルカメラの搭載モデルと非搭載モデルの双方に、第１実施形態で説明した中継フレキシブル配線基板１１２が組み付けられるが、その際に使用されるサブシャーシの構成が第２実施形態と第１実施形態とでは異なる。
【００４１】
図６に示すように、搭載モデルにおいて、無線ＬＡＮモジュール３０１は、サブシャーシ３０２に乗せた状態でメインシャーシ３０３とビス３０５ａ，３０５ｂにより共締めされる。サブシャーシ３０２には、ビス３０５ａ，３０５ｂを取り付けるためのビス穴３０２ａ，３０２ｂが設けられている。なお、図６において、ビス穴３０２ａ，３０２ｂは、隠れて見えないため、大凡の位置を破線で指している。
【００４２】
ビス穴３０２ａには、ビス３０５ａが取り付けられる。このとき、ビス３０５ａの直上に中継フレキシブル配線基板１１２が這い回されるため、ビス３０５ａとしては、ビス頭の薄いものが使用されている。中継フレキシブル配線基板１１２の腕部１１２ｃの先端に設けられたコネクタ端子部１１２ａは、第１実施形態と同様に、無線ＬＡＮモジュール３０１のコネクタに挿入される。
【００４３】
一方、図７に示すように、非搭載モデルでは、中継フレキシブル配線基板１１２の穴部１１２ｄとビス穴３０２ａとが一致しており、ワッシャ１１７を介して穴部１１２ｄにおいて腕部１１２ｃはビス１１２ｋによりビス止めされる。したがって、中継フレキシブル配線基板１１２を固定するための新たなビス穴をサブシャーシ３０２に設ける必要がなく、搭載モデルと非搭載モデルとでサブシャーシ３０２を共通化させることができるため、コストアップが生じることはない。また、中継フレキシブル配線基板１１２の腕部１１２ｃは、無線ＬＡＮモジュール３０１の有無に関係なく同じ位置にビス止めされるため、電気的な接触の変化が少なく、搭載モデルと非搭載モデルとでＥＭＩノイズや静電気等に対する電気的な特性をほぼ同じとすることができる。これにより、仮にＥＭＩ対策部品が必要となる場合であっても、対策効果が同等に得られることから、検討負荷を軽減することができる。
【００４４】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上記の実施形態では、無線ＬＡＮ通信を行う無線ＬＡＮモジュールの搭載モデルと非搭載モデルで説明した。しかし、電子機器に搭載される回路モジュールは無線ＬＡＮモジュールに限定されるものではなく、ＧＰＳモジュールや赤外線通信モジュール、Ｂｌｕｅｔｏｏｔｈ（登録商標）モジュール等の、モジュール化されたものであれば、適用が可能である。また、電子機器は、１つだけの回路モジュールを備えるものであってもよいし、複数の回路モジュールを備えるものであってもよい。
【符号の説明】
【００４５】
１０７    サブシャーシ
１０８    メイン配線基板
１０９    エンジン
１１０    メインシャーシ
１１１    無線ＬＡＮモジュール
１１１ｃ    コネクタ
１１２    中継フレキシブル配線基板
１１２ａ    コネクタ端子部
１１２ｄ    穴部
２０１    信号線
２０２    グラウンド線
２０３    電源線
３０１    無線ＬＡＮモジュール
３０２    サブシャーシ
３０３    メインシャーシ
【図１】
2016164920.tif 000003
【図２】
2016164920.tif 000004
【図３】
2016164920.tif 000005
【図４】
2016164920.tif 000006
【図５】
2016164920.tif 000007
【図６】
2016164920.tif 000008
【図７】
2016164920.tif 000009
【図８】
2016164920.tif 000010